Podtech/llm-jp-corpus-v4-ja_patent huggingface dataset:
(57)【要約】【課題】  本発明は、通常のセキュリティと異なり車のドアロックを解錠しているときや、エンジンを始動したまま車から離れた場合でも、セキュリティが働き、車内への不法な侵入を車のオーナーなどに知らせ、車上狙いや盗難を防止できる警戒モードセキュリティシステムを提供する。【解決手段】  車のフロントドアを開けると、磁石がリードスイッチと重なり、スイッチトランジスターの信号で、ラッチングリレーがＯＦＦになり、人の体温を感知して赤外線センサーの信号待ちになり、人が車内に入り込むと体温を感知して赤外線センサーの信号が入力され、セットラッチングリレーがＯＮになり、小さい音のブザーが鳴り、約５秒経過するとスーパーサイレンのような警報器が鳴ることを特徴とする警戒モードセキュリテイシステム。【選択図】図１
2014069794.tif 000002
【特許請求の範囲】
【請求項１】
車のフロントドアの中にあるフロントドアのロックオープンロッドの中央の真ん中より幾分上の所に磁石を設け、磁石の近くにリードスイッチを設け、車のエンジンが始動しているときにフロントドアを開けると、磁石がリードスイッチと重なり、スイッチトランジスターの信号で、ラッチングリレーがＯＦＦになって赤外線センサーの信号入力待ちになり、人が車内に入り込むと体温を感知して赤外線センサーの信号が入力され、セットラッチングリレーがＯＮになり、運転席近くに設けた小さい音の電子ブザーが鳴り、約５秒経過すると、ドア近くに設けた大音量のスーパーサイレンのような警報器が鳴る仕組みの警戒モードセキュリティ。
【発明の詳細な説明】
【技術分野】
【０００１】  本発明は、通常のセキュリティと異なり車のドアロックを解錠しているときや、エンジンを始動したまま車から離れた場合でも、セキュリティが働き、車内への不法な侵入を車のオーナーなどに知らせ、車上狙いや盗難を防止できる警戒モードセキュリティシステムに関するものである。
【背景技術】
【０００２】  従来、車に設けてある純正のセキュリティや市販のセキュリティ装置などは、ドアがロックされているときだけ車をガードできるシステムがあった。
【発明の概要】
【発明が解決しようとする課題】
【０００３】  そのために、次のような問題点がある。
車のドアのロックを解錠すると、セキュリティはＯＦＦになる。
そのため、車のガードができない。
その結果、車から離れている間に車上狙いなどに会ってしまう危険があった。
本発明は、これらの問題点を解決するためになされたものである。
【課題を解決するための手段】
【０００４】  車のフロントドアの中にあるフロントドアのロックオープンロッドの中央の真ん中より幾分上の所に磁石を設け、磁石の近くにリードスイッチを設け、車のエンジンが始動しているときにフロントドアを開けると、磁石がリードスイッチと重なり、スイッチトランジスターの信号で、ラッチングリレーがＯＦＦになって赤外線センサーの信号入力待ちになり、人が車内に入り込むと体温を感知して赤外線センサーの信号が入力され、セットラッチングリレーがＯＮになり、運転席近くに設けた小さい音の電子ブザーが鳴り、約５秒経過すると、ドア近くに設けた大音量のスーパーサイレンのような警報器が鳴る仕組みである。
以上のような構成よりなる警戒モードセキュリティシステム。
【発明の効果】
【０００５】  車のドアロックを解錠したまま、あるいはエンジンを始動させたまま、ちょっと車から離れていたら、従来は、セキュリティが働かなかったが、この様な状況下においても、本発明を使用すれば車上狙いや車両盗難などが未然に防げる。
【図面の簡単な説明】
【０００６】
【図１】  本発明の実施例を車のドアの外から見た状態を示した斜視図。
【図２】  本発明が機能しているときの回路図。
【発明を実施するための形態】
【０００７】  以下、本発明の実施の形態について説明する。
車フロントドアの中にあるフロントドアのロックオープンロッド（１）の中央の真ん中より幾分上の所に磁石（２）を設ける。
磁石（２）の近くにリードスイッチ（３）を設ける。
車のエンジンが始動しているときにフロントドアを開けると、磁石（２）がリードスイッチ（３）と重なり、スイッチトランジスター（４）の信号でラッチングリレー（５）がＯＦＦになって、赤外線センサーの信号入力待ちになる。
人が車内に侵入して体温を感知して赤外線センサーの信号が入力されると、セットラッチングリレー（６）がＯＮになり、小さい音の電子ブザー（７）が鳴り、約５秒経過すると、大音量のスーパーサイレンのような警報器が鳴る仕組みである。
本発明は、以上のような構成であり、以下具体的な使用例を説明する。
車のドアロックスイッチを解錠しているときや、車のエンジンが始動しているときに所有者が車を離れている情況において車上狙いがフロントドアを開けると、フロントドアロックオープンロッド（１）に設けた磁石（２）がリードスイッチ（３）と重なり、スイッチトランジスター（４）の信号でラッチングリレー（５）がＯＦＦになる。
車内の侵入を赤外線センサーが感知して、セットラッチングリレー（６）がＯＮになる。
小さい音の電子ブザー（７）が鳴る。
もし、この時点で、センサーに感知されたのが車上狙いではなく所有者本人であった場合は車の中に電子ブザー（７）の音を止めるリセットスイッチ（８）が設けてあるので、リセットスイッチ（８）を押すと電子ブザー（７）の音が鳴り止みセットラッチングリレー（６）がＯＮになりセキュリティがＯＦＦになる。
しかし、ここで感知されたのが所有者本人ではなく、車上狙いであったなら、電子ブザー（７）の音を止めないまま、時間が経過し、約５秒経過すると、スーパーサイレンが鳴る仕組みである。
また、何かの用事で車のドアの開閉を繰り返すときは、トグルスイッチ（９）を切り替えると、フロントドアの開閉や車の中の出入りをしてもセキュリティは、ＯＦＦになっている。
【符号の説明】
【０００８】１  フロントドアロックオープンロッド
２  磁石
３  リードスイッチ
４  スイッチトランジスター
５  ラッチングリレー
６  セットラッチングリレー
７  電子ブザー
８  リセットスイッチ
９  トグルスイッチ
【図１】
2014069794.tif 000003
【図２】
2014069794.tif 000004
(57)【要約】      （修正有）【課題】津波等の災害時に流木等が浮き輪に当たっても浮き輪の環状部を乗り越えることがなく、また外側に腕や手が飛び出ることがないようにした浮き輪を提供する。【解決手段】内外周部及び外周部３と内周部２とを接続する上下一対の環状面４を有し、外周部が中心軸と平行な面となっており、少なくも一方の環状面の外周において中心軸方向に突出する凸条環状部６を形成し、凸条環状部の内側に取手８，９，１０，１１を固定したことを特徴とする浮き輪１とした。【選択図】図１
2014069796.tif 000002
【特許請求の範囲】
【請求項１】
内外周部及び外周部と内周部とを接続する上下一対の環状面を有し、外周部が中心軸と平行な面となっており、少なくも一方の環状面の外周において中心軸方向に突出する凸条環状部を形成し、凸条環状部の内側に取手を固定したことを特徴とする浮き輪。
【請求項２】
一対の環状面の外周において中心軸方向に突出する一対の凸条環状部を形成し、一対の凸条環状部の両方の内側に取手を固定したことを特徴とする請求項１記載の浮き輪。
【発明の詳細な説明】
【技術分野】
【０００１】  本発明は水難災害特に津波発生時に使用する救命用の浮き輪に関する。
【背景技術】
【０００２】  救命用の浮き輪として、浮き輪の環状部の断面形状が略円形をなし、身体の胴部に密着させる浮き輪が広く知られている（特許文献１参照）。
【先行技術文献】
【特許文献】
【０００３】
【特許文献１】特開２００１−１６３２９５号公報
【発明の概要】
【発明が解決しようとする課題】
【０００４】  従来の浮き輪にあっては身体から浮き輪が離れないように腕と胴部で浮き輪を挟むか、または手で浮き輪の外周を掴んでいる必要があった。そのため津波発生時に破壊された住宅の柱等の木材が津波に流され、その木材が浮き輪に当たったときに環状部を乗り越えて身体に接触して負傷したりした。また浮き輪の外周に飛び出ている腕や手に木材が当たり負傷することがあった。【０００５】  本発明の目的は、流木が浮き輪に当たっても環状部を乗り越えることがなく、また浮き輪の外側に腕や手が飛び出ることがないようにして津波発生時の安全を確保することができる浮き輪を提供することである。
【課題を解決するための手段】
【０００６】  請求項１の発明が採用する構成の特徴は、内外周部及び外周部と内周部とを接続する上下一対の環状面を有し、外周部が中心軸と平行な面となっており、少なくも一方の環状面の外周において中心軸方向に突出する凸条環状部を形成し、凸条環状部の内側に取手を固定したことを特徴とする浮き輪としたことである。【０００７】  請求項２の発明が採用する構成の特徴は、一対の環状面の外周において中心軸方向に突出する一対の凸条環状部を形成し、一対の凸条環状部の両方の内側に取手を固定したことを特徴とする請求項１記載の浮き輪としたことである。
【発明の効果】
【０００８】  本発明の浮き輪によれば、津波等の災害時に流木等が浮き輪に当たっても環状部を乗り越えることがなく、また浮き輪の外側に腕や手が飛び出ることがない。また浮き輪の両面を同一の構成としたことにより災害時に装着の向きを間違えることなく確実に浮き輪を装着できる。
【図面の簡単な説明】
【０００９】
【図１】本発明の浮き輪の平面図。
【図２】図１のＡ−Ａ線の断面図。
【図３】本発明の浮き輪の斜視図。
【図４】本発明の浮き輪の取手の実施例を示す部分図。
【発明を実施するための形態】
【００１０】  以下、本発明の好適な実施の形態について、図１乃至図３に示す実施例に基づいて詳細に説明する。浮き輪１は、プラスチック成型され、内部が中空な外皮１Ａと外皮１Ａ内に密閉された発泡スチロール１Ｂからなる。内外周部２，３及び外周部３と内周部２とを接続する上下一対の環状面４，５を有し、外周部３が中心軸Ｃと平行な面となっている。
【００１１】  環状面４，５の外周において中心軸Ｃ方向に突出する一対の凸条環状部６，７がそれぞれ形成される。凸条環状部６，７の内側にそれぞれ一対の取手８，９および１０，１１がねじ１２で固定される。なお取手は外皮１Ａをプラスチック成型する際に、一体成型してもよい。
【００１２】  津波発生時においては内周部２内に身体の胴部を入れ、両手で取手８，９または１０，１１を掴む。その際に両腕の肘は凸条環状部６または７に接触するようにして、その外側に出ないようにする。従って手および腕は浮き輪１の外周部３の外側に出ることがなく、流木等に当たって負傷することがない。
【００１３】  また流木等が浮き輪に当たっても、その外周部３が中心軸と平行な面となっているため流木等が浮き輪に当たっても環状部を乗り越えることがない。
【００１４】  一対の凸条環状部６，７の両方の内側に取手８，９および１０，１１を設けることによって災害時に浮き輪をどの方向から装着しても本発明の前述の効果を奏することができる。コスト面を考慮して一対の凸条環状部６，７の一方のみに取手を設けてもよい。
【００１５】  図４は、取手１３を長くして両手で掴めるようにした本発明の他の実施例を示す。図１乃至図３に示す実施例では浮き輪を環状としたが、矩形状とすることもできる。
【符号の説明】
【００１６】１  浮き輪
２  内周部
３  外周部
４、５  環状面
６、７  凸条環状部
８、９，１０、１１、１３  取手
【図１】
2014069796.tif 000003
【図２】
2014069796.tif 000004
【図３】
2014069796.tif 000005
【図４】
2014069796.tif 000006
(57)【要約】【課題】十分満足のいく不燃性を有し、防湿性も有する不燃化粧板を提供すること。【解決手段】無機質板の表面に樹脂系化粧シートを設けてなり、前記無機質板の裏面に無機質薄膜蒸着層と樹脂系フイルムとをこの順に設けてなり、前記無機質板が水分及び／又は結晶水を含有してなることを特徴とする。無機質板の裏面へは防湿性を有し、これにより、無機質板に含まれる水分が、火炎による加熱が加えられる表面の樹脂系化粧シート側より効率的に蒸発することで、防火性能を向上させる。【選択図】  図１
2014069388.tif 000002
【特許請求の範囲】
【請求項１】
無機質板の表面に樹脂系化粧シートを設けてなり、前記無機質板の裏面に無機質薄膜蒸着層と樹脂系フイルムとをこの順に設けてなり、前記無機質板が水分及び／又は結晶水を含有してなることを特徴とする不燃化粧板。
【発明の詳細な説明】
【技術分野】
【０００１】
本発明は住宅等の建築物において、床面や壁面等の内装、あるいは家具などに用いる建築用の化粧板に関し、特には不燃ドア、防火ドアなど不燃性が求められる箇所に使用可能な不燃化粧板に関する。
【背景技術】
【０００２】
従来から、化粧シートと、不燃性の部材、ボード、板などとを貼り合わせた化粧板は、床面や壁面等の内装、あるいは家具などの様々な用途に使用されている。これらの用途には不燃性が求められるものとなり、国土交通省の告示により定められた試験に合格したものが、審査認定を受けて使用されている。
【０００３】
焼却時の問題などから従来の塩化ビニル樹脂に代わり化粧シートとして用いられるようになったポリオレフィン系樹脂の場合、樹脂シートの層厚を制限し、接着剤を限定することで不燃認定の規格を満足するものができるが、十分満足するものとはいかず、ときによっては不合格となることもある。また、ドア部材として温度湿度の変化により反りが発生するのを防止するために無機質薄膜蒸着層を設けることが望まれているが、これらと不燃性との兼ね合いも困難なものとなっていた。
【先行技術文献】
【特許文献】
【０００４】
【特許文献１】特開２００２−３５５９１０号公報
【特許文献２】特開２００１−３０１０８４号公報
【発明の開示】
【発明が解決しようとする課題】
【０００５】
本発明は前記問題点を解決するためになされたものであり、その課題とするところは、十分満足のいく不燃性を有し、防湿性も有する不燃化粧板を提供することにある。
【課題を解決するための手段】
【０００６】
本発明は前記課題を解決したものであり、すなわちその請求項１記載の発明は、無機質板の表面に樹脂系化粧シートを設けてなり、前記無機質板の裏面に無機質薄膜蒸着層と樹脂系フイルムとをこの順に設けてなり、前記無機質板が水分及び／又は結晶水を含有してなることを特徴とする不燃化粧板である。
【発明の効果】
【０００７】
本発明はその請求項１記載の発明により、無機質板の裏面へは防湿性を有し、これにより、無機質板に含まれる水分が、火炎による加熱が加えられる表面の樹脂系化粧シート側より効率的に蒸発することで、防火性能を向上させることも可能となった。
【図面の簡単な説明】
【０００８】
【図１】本発明の不燃化粧板の一実施例の断面の構造を示す説明図である。
【発明を実施するための形態】
【０００９】
以下、本発明を図面に基づき詳細に説明する。図１に本発明の不燃化粧板の一実施例の断面の構造を示す。樹脂系化粧シート１、接着剤層２、シーラー層３、無機質板４、接着剤５、無機質薄膜蒸着層６、樹脂系フイルム７という構成である。
【００１０】
樹脂系化粧シート１としては、ポリプロピレン、ポリエチレン、ポリエステル、ポリ塩化ビニル等が使用可能であり、特には厚み０．０５〜０．３０ｍｍが意匠性の点で、またポリエステルやポリ塩化ビニルまたは、これら樹脂との複合化粧シートが発熱性低減の点で好適である。
【００１１】
接着剤層２としてはアクリル樹脂系、ウレタン樹脂系、酢酸ビニル樹脂系、エチレン酢酸ビニル樹脂系等が使用可能であり、特にはエチレン酢酸ビニル共重合系が接着性、耐熱クリープ性、発熱性低減の点で好適である。
【００１２】
無機質板４にシーラー層３を設ける方法としては、ロールコーター等により製造可能であり、特には塗布量の点でスポンジロールが好適である。
【００１３】
無機質板４の材質としてはせっこう、酸化マグネシウム、珪酸カルシウム等が利用できる。好ましくは結晶水を含むせっこう、酸化マグネシウム等が発熱性低減の点で好適である。
【００１４】
接着剤層５としてはウレタン樹脂系、酢酸ビニル系、エチレン酢酸ビニル系等が使用可能であり、特には接着性、耐熱クリープ性の点でエチレン酢酸ビニル共重合系が好適である。
【００１５】
無機質薄膜蒸着層６を設ける方法としては、アルミナ等の無機物による薄膜を蒸着し、保護の為に蒸着面にビニル系樹脂を適宜塗布してなる。薄膜の厚さは８ｎｍ程度、塗布量は固形分換算量０．５ｇ／ｍ２程度が防湿性の点で好適である。
【００１６】
樹脂系フイルム７としては塩化ビニル樹脂系、ポリプロピレン樹脂系、ポリエチレン樹脂系、ポリエステル樹脂等が使用可能であり、特にポリエチレンテレフタレート樹脂フイルムが防湿性、発熱性低減の点で好適である。
【実施例１】
【００１７】
厚さ３ｍｍ、比重１．３ｇ／ｃｍ３、乾燥温度１０５±２℃で測定した際の含水率が１１．５％でありかつ、乾燥温度４０±２℃で測定した際の含水率が１．９％である結晶水を含む酸化マグネシウム板を用い、その酸化マグネシウム板の表面側に１１ｇ／ｍ２のウレタン樹脂系シーラー層を設け、１５ｇ／ｍ２のエチレン酢酸ビニル樹脂系接着剤を介し、１４２ｇ／ｍ２のポリプロピレン・ポリエステル複合樹脂系化粧シートを貼り合せた。酸化マグネシウム板の裏面側は２４ｇ／ｍ２のエチレン酢酸ビニル樹脂系接着剤を介し、酸化マグネシウム板と貼り合せる面側に厚さ８ｎｍ、質量０．１ｇ／ｍ２のアルミナによる薄膜を施し、さらにビニル系樹脂を塗布した固形分換算量０．５ｇ／ｍ２の無機質薄膜蒸着層を施した厚さ１２μｍのポリエチレンテレフタレート樹脂フイルムを貼り合せ、本発明の化粧板を作製した。
【００１８】
＜比較例１＞
裏面側接着剤層、無機質薄膜蒸着層、ポリエステル樹脂系フイルムを除いた以外は実施例１と同様にして本発明の化粧板を作製した。
【００１９】
＜性能比較１＞
以上のように作製した実施例１、比較例１の化粧板について、ＩＳＯ５６６０に定められたコーンカロリーメーターにより発熱性試験を行い２０分間の性能を評価した。結果を表１に示す。
【００２０】
【表１】
2014069388.tif 000003
【産業上の利用可能性】
【００２１】
本発明の不燃化粧板は、壁面、天井、フラッシュドア、不燃ドア、防火扉などに利用可能である。
【符号の説明】
【００２２】
１…樹脂系化粧シート
２…接着剤
３…シーラー層
４…無機質板
５…接着剤
６…無機質薄膜蒸着層
７…樹脂系フイルム
【図１】
2014069388.tif 000004
(57)【要約】      （修正有）【課題】紙幣は棄損する部分を有することにより、誰でも簡単に棄損し、その価値を容易に減らすことのできる紙幣を提供する。【解決手段】紙幣を棄損させる部分２を有することによって、当該棄損させる部分２を棄損することにより、その価値を減らすことができる紙幣を作成する。これにより紙幣の機能、額面や信用を失うことなく、減価することを可能する。【選択図】図１
2014069569.tif 000002
【特許請求の範囲】
【請求項１】
棄損させる部分を有する紙幣
【発明の詳細な説明】
【技術分野】
【０００１】  本発明は、紙幣の価値を減らすために、棄損させる部分を有する紙幣に関する。
【背景技術】
【０００２】  従来、紙幣には価値を減らしていくという発想がなく、紙幣を破ったり、切ったり、穴をあけるなど、棄損することができない。
【発明の概要】
【発明が解決しようとする課題】
【０００３】  従来の紙幣は、価値が減らないことにより貯め込まれ、流通が滞り、景気悪化の一因になっている。また、破ったり切ったり、穴をあけるなど、棄損して価値を減らすことができる紙幣が存在しない、といった問題がある。
【課題を解決するための手段】
【０００４】  本発明は、紙幣が棄損させる部分を有するため、誰でも簡単に棄損し、紙幣の価値を容易に減らすことができることを特徴とする。
【発明の効果】
【０００５】  このような形にすることで、誰でも簡単に紙幣を棄損させ、価値を減らすことができる。これにより紙幣が溜め込まれることを防ぎ、流通が確保され、景気を浮揚させる効果がある。
【図面の簡単な説明】
【０００６】
【図１】  棄損する（減価する）前の紙幣について説明するための図である。
【図２】  棄損させた（減価した）後の紙幣について説明するための図である。
【発明を実施するための形態】
【０００７】  本発明の紙幣には、棄損させる部分が示されている。利用者は示された部分を棄損し、紙幣の価値を減らすことができる。
【実施例】
【０００８】  棄損させる部分を有する紙幣を発行する。一定の期間を過ぎると紙幣を棄損し減価しなければならない、といったルールを定める。地域やコミュニティなどで使用する。紙幣を手にした利用者は、ルールに従い使用し、一定の期間が過ぎれば紙幣を棄損し減価しなければならない。棄損の仕方は、指定された部分をちぎる、破る、切る、穴をあけるなど、利用者のやり易い方法でかまわない。
これにより紙幣の機能、額面や信用を失うことなく、減価することができる。この紙幣を手にした人は、価値が減ることを嫌い、この紙幣を優先して使用することになる。結果、紙幣の流通が促進され、経済の活性化に効果がある。【０００９】  実施例について図面を参照して説明する。
図１は、棄損する（減価する）前の紙幣である。棄損させる部分が誰にでも分かる形にする。棄損させる部分は簡単に行なえる場所であればどこでもよい。
図２は、棄損させた（減価した）後の紙幣である。棄損させる方法は、ちぎる、破る、切る、穴を開けるなど、誰にでも簡単に行なうことができる方法であればよい。棄損させているので、減価していることが誰にでも分かる。また、額面や信用といった紙幣本来の機能を失わない。
【産業上の利用可能性】
【００１０】  地域通貨や法定通貨など、通貨類に利用できる。
【符号の説明】
【００１１】（１）  棄損する（減価する）前の紙幣
（２）  棄損させる部分
（３）  棄損させた（減価した）後の紙幣
【図１】
2014069569.tif 000003
【図２】
2014069569.tif 000004
(57)【要約】【課題】感光性ガラスを加工するためには、通常照明においては感光性ガラスが感光してしまうため、特殊な照明室（イエロールーム等）内で加工する必要があった。本発明は、特殊な照明室を用いることなく感光性ガラスを加工できる方法を提供することを目的とする。【解決手段】感光性ガラス基体１を感光防止フィルム２で覆い、レーザ光によりまず感光防止フィルムに孔３を開け、その後その孔の中にレーザ光を照射して感光性ガラス基体を感光させて潜像４を形成させればよい。【選択図】図４
2014069986.tif 000002
【特許請求の範囲】
【請求項１】
感光性ガラス基体に、エッチングすることによって貫通孔を形成するための微細な潜像を、レーザ光の照射により形成するレーザ加工方法において、
感光性ガラス基体を感光防止フィルムで覆い、
レーザ光によりまず感光防止フィルムに孔を開け、
前記孔の中にレーザ光を照射して感光性ガラス基体を感光して微細な潜像を形成する
ことを特徴とするレーザ加工方法。
【発明の詳細な説明】
【技術分野】
【０００１】
本発明は、感光性ガラス基板のレーザ加工方法に係るものである。
【背景技術】
【０００２】
近年、微細な貫通孔を有するガラス基板、あるいはガラス部品が、プリント配線基板、インクジェットプリント用ヘッド、あるいはガスフローメーター等に応用されつつあり、特にガラス材料として、感光性ガラスを用いたものが注目されている。感光性ガラスに微細な貫通孔を形成する方法として、例えば、特許文献１に開示されているように、感光性ガラス内部にビームウエストを有する紫外線集光光束を照射して微細な潜像を形成し、エッチングする方法が知られている。
【先行技術文献】
【特許文献】
【０００３】
【特許文献１】特許第４８４９８０号公報
【発明の概要】
【発明が解決しようとする課題】
【０００４】
感光性ガラスを加工するためには、通常照明においては感光性ガラスが感光してしまうため、特殊な照明室（イエロールーム等）内で加工する必要があった。本発明は、特殊な照明室を用いることなく感光性ガラスを加工できる方法を提供することを目的とする。
【課題を解決するための手段】
【０００５】
図４を参照して感光性ガラス基体（１）を感光防止フィルム（２）で覆い、レーザ光によりまず感光防止フィルムに孔（３）を開け、その後その孔の中にレーザ光を照射して感光性ガラス基体を感光させて潜像（４）を形成させればよい。
【０００６】
なお、上記カッコ内の符号は、図面と対照するためのものであるが、これにより特許請求の範囲の記載に何等影響を及ぼすものではない。
【発明の効果】
【０００７】
通常照明の下であっても、感光性ガラス基体は感光防止フィルムで覆われているので感光性ガラス基体が感光することがないため、加工時のみならず、運搬時や保管時においても取扱い易い、という利点を持つ。また、レーザ光によりまず感光防止フィルムに形成した孔をマスクとして使用することにより、潜像の径をさらに小さくできる。さらに、レーザ光で形成された潜像の位置が、感光防止フィルムに形成した孔があるために、分かりやすくなる、という利点もある。
【図面の簡単な説明】
【０００８】
【図１】本発明に係る感光防止の実施の形態を示す平面図である。
【図２】図１のＡ−Ａ断面図である。
【図３】本発明に係る感光防止の実施の形態で加工を行った状態を示す平面図である。
【図４】図３のＢ−Ｂ断面図である。
【発明を実施するための形態】
【０００９】
以下、本発明に好適な実施の形態について図面を用いて説明する。図１は本発明に係る感光防止の様子を示す平面図であり、図２は、図１のＡ−Ａ断面図である。まず、イエロールーム等の感光性ガラスが感光しない場所で感光性ガラス基体１を感光防止フィルム２で覆う。ここで、感光性ガラス基体１としては、ＨＯＹＡ株式会社製ＰＥＧ３、株式会社アポロリンク製ＬＳ−Ｇ、などを用いることが出来る。また、感光防止フィルム２としては、感光波長を遮断できるフィルムに粘着剤が均一に形成された株式会社ヤマヒラ製ミルクール１９０５や全く光を透過しないアルミ箔、銅箔に粘着剤が均一に形成されたものを使用することができる。ここで、感光性ガラス基体１の覆い方としては、図１及び図２で示した例に限定されるものではないが、感光性ガラス基体１の表面に気泡等が入らないように粘着剤でぴったりと貼ることが必須である。
【００１０】
図３は、図１及び図２で示した例にレーザ加工を施した場合の平面図であり、図４は図３のＢ−Ｂ断面図である。まず、集光したレーザビームで感光防止フィルム２に孔を開け、感光性ガラス基体１の表面を暴露する。暴露された感光性ガラス基体１にレーザビームを照射し、感光性ガラス基体１内に潜像を形成する。ここで、感光防止フィルム２に孔を開けるレーザ光と感光性ガラス基体１内に潜像を形成するレーザ光をそれぞれに適した波長にすると効率が向上する場合がある。
【００１１】
以後、エッチングにより潜像部分を除去して貫通孔を形成する。
【符号の説明】
【００１２】
１  感光性ガラス基体
２  感光防止フィルム
３  孔
４  感光層
【図１】
2014069986.tif 000003
【図２】
2014069986.tif 000004
【図３】
2014069986.tif 000005
【図４】
2014069986.tif 000006
(57)【要約】【課題】布団、特に掛布団は大きいので、布団カバーの着脱交換時には、布団をカバー横から中に均等にきれいに入れるには、ある程度の力が必要であり、又、角々に付けられている布団固定用の紐を布団角々の固定用ループ結び付けは手の不自由な人には大変な作業である【解決の手段】蒲団カバー布帛の片面を横半分に二分割して布団の入れ口（Ａ）とし、入っている蒲団がはみ出さないよう紐、或いはチャックやホックを付ける。そして、布団の角々固定用ループの部分に引っ掛けるための柔らかめの樹脂等でできた引っ掛け用部品のカギフック（Ｂ）を付ける【選択図】図１
2014069055.tif 000002
【特許請求の範囲】
【請求項１】
布団カバーの布帛、片側上面にあたる側を布団出し入れ用に横半分に二分割にし布団出し入れ口（Ａ）とし、又、布団に固定するために付いている角の紐を樹脂等の部品フック（Ｂ）で引っ掛けるだけにした布団カバーの提供で、開いている部分は布団がはみだしてこないように、紐やチャック、ホック等で閉じるようにした布団カバー
【発明の詳細な説明】
【技術分野】
【０００１】寝具、特に掛け布団のカバーの着脱を労力少なくて可能にする布団カバーの提供
【発明の概要】
【発明が解決しようとする課題】
【０００２】寝具、特に大き目の掛け布団は、カバーの掛け替え時、横から布団を入れるようになっていているため、カバーの中で布団が均等に行き渡るように調整するのに結構な労力を必要とし、力のない人にとっては大仕事です。又、布団とカバーを安定させるために角々に付いている紐を布団の角の固定のためのループに結びつける手間は、手の不自由な人にとっては大変で、その紐も千切れる事も多い。そこで、布団のカバーの着脱を簡単でしかも中身の布団が均等に行きわたるようにしたいと考えた
【課題を解決するための手段】
【０００３】布団カバーの上部にあたる面の布帛を、横半分に二分割にし、布団出し入れの開け口（Ａ）とし、開け口（Ａ）には布団を入れた後、閉じるための紐ないしはホック、チャック等で閉じるタイプの布団カバーで、カバーの各角につけている布団角のループに結びつける紐を柔らかい樹脂等で作ったカギ状部品、フック（Ｂ）を付け、引っ掛けるだけでセットできるようにする
【発明の効果】
【０００４】このような布団カバーを提供することにより、布団、特に掛布団を二つ折りにして、横半分に明けた明け口（Ａ）から、図２のように着脱する、或いは図３のようにカバーを裏返しにして広げその上に布団を載せ、カバーを半分ずつひっくり返して入れ込む等、あまり力を要せずに布団のカバー替えが出来るようになる。それにより、横から入れた布団を広げて布団がカバーの中で均等に行きわたるようにする全体調整がなくてもきれいにセット出来る。また、布団の角々に設けてある布団角ループとの接続としてカバーに取り付けた樹脂等で出来たカギ状部品フック（Ｂ）で布団角々のループに引っ掛けるだけで固定接続出来、手の不自由な人にもたやすくセットできる。図２の場合には、カギ状部品フックの布団角へのセットは最初にでも、又後で角の空いている場所からでもどちらでも可能である。
【図面の簡単な説明】
【０００５】
【図１】平面図
【図２】使用例１
【図３】使用例２
【図１】
2014069055.tif 000003
【図２】
2014069055.tif 000004
【図３】
2014069055.tif 000005
(57)【要約】【課題】  従来の技術ではマスクと頬の隙間から花粉および粉じんが少なからず進入していたため鼻に入るのを効果的に防げなかったし、目に関してはまったく無防備であった。【解決手段】顔の前面、顎および耳を覆う大きさの布地の縁に沿って、その布地の周囲に伸縮性のあるゴム紐が装着されており、▲１▼容易に顔の前面に装着でき、▲２▼装着した際にゴムを耳にひっかけることで脱落しにくく、▲３▼前記布地のうち目を覆う部分が透明のビニールなどの素材からなる目も鼻も守るマスクを作成する。【選択図】図１
2014069053.tif 000002
【特許請求の範囲】
【請求項１】
顔の前面、顎耳および耳を覆う大きさのマスク用布地を有し、その布地の周囲に伸縮性のあるゴムが装着されており、顔の前面に容易に装着でき、装着した際にゴムを耳にひっかけることで脱落しにくく、前記布地のうち目を覆う部分が透明のビニールなどの素材からなることを特徴とする目も鼻も守るマスク。
【発明の詳細な説明】
【技術分野】
【０００１】  この発明はマスクに関するものである。
【背景技術】
【０００２】  従来の技術は花粉および粉じんが鼻に入るのを防ぐことを目的にしたものであった。
【発明が解決しようとする課題】
【０００３】  従来の技術ではマスクと頬の隙間から花粉および粉じんが少なからず進入していたため鼻に入るのを効果的に防げなかったし、目に関してはまったく無防備であった。
【課題を解決するための手段】
【０００４】  顔の前面、顎および耳を覆う大きさのマスク用布地の縁に沿って、その布地の周囲に伸縮性のあるゴム紐が装着されており、▲１▼顔の前面に容易に装着でき、▲２▼装着した際にゴムを耳にひっかけることで脱落しにくく、▲３▼前記布地のうち目を覆う部分が透明のビニールなどの素材からなる。
以上を特徴とする目も鼻も守るマスクである。
【発明の効果】
【０００５】  本発明により、花粉および粉じんが鼻に入るのを効果的に防ぐのみならず、目に入るのも防ぐ。従来のマスクでは、マスクと頬の隙間から花粉が少なからず進入していたが、本発明により花粉の進入を効果的に防げる。
【図面の簡単な説明】
【０００６】
【図１】  本発明を装着した場合の側面図である。
【図２】  本発明を装着した場合の斜視図である。
【図３】  本発明を表側から見た平面図である。
【図４】  本発明を裏側から見た平面図である。
【発明を実施するための形態】
【０００７】  従来のマスク用布地を使って図３の覆面部１の直径は２５センチ程度の円になるように、また図４の覆面折返し部３は８センチ程度になるように、布地の周囲に伸縮性のあるゴムを縫いつける。その後、図３の窓部２を覆面部１の中央の位置に横約１２センチ×縦約６センチになるように布地を切り抜き、横約１４センチ×縦約８センチのビニール等の透明な素材を図４の接合部４に接着剤を使用して付ける。
【符号の説明】
【０００８】１  覆面部
２  窓部
３  覆面折返し部
４  接合部
【図１】
2014069053.tif 000003
【図２】
2014069053.tif 000004
【図３】
2014069053.tif 000005
【図４】
2014069053.tif 000006
(57)【要約】      （修正有）【課題】冬場に風邪等をひくことを防止するため寝返りをうっても上布団がずれない。【解決手段】敷布団１の上に上布団２を乗せ、布団同志をマジックテープ（登録商標）３でつなぐ。【選択図】図２
2014069054.tif 000002
【特許請求の範囲】
【請求項１】
上布団▲２▼の首元をＵにして両肩の上布団▲２▼にマジックテープ▲３▼をつける。
【発明の詳細な説明】
【技術分野】
【０００１】  この発明は首元をＵにして両肩側にマジックテープで上下の布団をとめる。
【背景技術】
【０００２】  従来の布団の形状は上下２枚の長方形だった。
【発明の概要】
【発明が解決しようとする課題】
【０００３】  これは次のような欠点があった。
（イ）寝返りをしても、布団から出にくい。
（ロ）寝返りするたびに肩が出て風邪をひくことが多い
本発明はこれらの欠点を除くためになされたものである。
【課題を解決するための手段】
【０００４】（１）マジックテープ▲３▼でとめるのは寝た自分で出来るから。
（２）寝返りをしても布団から出ないようにするためにマジックテープ▲３▼でとめる。
本発明は以上のような構成よりなるマジックテープ▲３▼付布団である。
【発明の効果】
【０００５】（イ）眠ると布団から無意識の内に体が出たりする。
（ロ）布団に入ってから自分でマジックテープを操作出来る。
この発明により肩を冷やさなくなる。
【図面の簡単な説明】
【０００６】
【図１】本発明の斜視図である。
【図２】本発明の正面図である。
【発明を実施するための形態】
【０００７】  以下本発明をするための最良の形態について説明する。
敷布団▲１▼の上に上布団▲２▼を乗せ布団同志をマジックテープ▲３▼でつなぐことによってずれない。
【符号の説明】
【０００８】  ▲１▼敷布団
▲２▼上布団
▲３▼マジックテープ
【図１】
2014069054.tif 000003
【図２】
2014069054.tif 000004
(57)【要約】【課題】従来のいわゆる磁気ネックレスは、下記の先行技術文献（特許文献１乃至４参照）のとおりネックレス本体部分に均一的に磁気を帯びさせるような構造をとっており、磁力の発生物質も特定されないことが多いことや、更に人体頸部の血液及びリンパ液の循環箇所を意識した構造は取っておらず、以って肩こりや血流促進に対する効果的な発明とは言えなかった。【解決手段】そこで本発明では、上述した人体頸部の構造に基づき、ネックレスの構成部である永久磁石の大きさと配置箇所を設定し、更にネックレスの構成部にラジウムセラミックを使用することにより発生する、いわゆる「ホルミシス効果」によって免疫系の強化作用、細胞の活性化作用、体内に蓄積された乳酸を代謝することに伴う自律神経の安定化、疲労回復、血流の改善と促進が期待できる最適な形で提供する。【特許請求の範囲】
【請求項１】
ネックレスの留め金部付近に永久磁石を片側紐に１個または２個、合計２個または４個を配置し、左右総頚動脈の表皮上部に永久磁石が配置される構造のネックレス。
【請求項２】
請求項１の永久磁石は、磁束密度５０ｍＴから１５０ｍＴとするネックレス。
【請求項３】
請求項１及び請求項２にラジウムセラミックを付加したネックレス。
【発明の詳細な説明】
【技術分野】
【０００１】本発明は、ネックレス形状の磁気治療器に関する。
【背景技術】
【０００２】従来のいわゆる磁気ネックレスは、下記の先行技術文献（特許文献１乃至４参照）のとおりネックレス本体部分に均一的に磁気を帯びさせるような構造をとっており、磁力の発生物質も特定されないことが多いことや、更に人体頸部の血液及びリンパ液の循環箇所を意識した構造は取っておらず、以って肩こりや血流促進に対する効果的な発明とは言えなかった。【０００３】そこで本発明では、上述した人体頸部の構造に基づき、ネックレスの構成部である永久磁石の磁束密度と配置箇所を設定し、更にネックレスの構成部にラジウムセラミックを使用することにより発生する、いわゆる「ホルミシス効果」によって免疫系の強化作用、細胞の活性化作用、体内に蓄積された乳酸を代謝することに伴う自律神経の安定化、疲労回復、血流の改善と促進が期待できる最適な形で提供することを目的とする。
【先行技術文献】
【特許文献】
【０００４】
【特許文献１】特許公開平９−８４６１２
【特許文献２】特許公開平７−１３６２８８
【特許文献３】登録実用新案第３１６０５５６号
【特許文献４】登録実用新案第３０９５５１３号
【発明の概要】
【発明が解決しようとする課題】
【０００５】そこで本発明は、上記のような従来の磁気ネックレスに係る先行発明品が持つ問題点の改善を目指し、人体へのより効果的な磁力や放射性作用を期待した磁気治療器を提供する。
【課題を解決するための手段】
【０００６】本発明は、ネックレスの留め金部付近に永久磁石を片側紐に１個または２個、合計２個または４個を配置し、左右総頚動脈の表皮上部に永久磁石が配置される構造のネックレスであること。【０００７】上記、永久磁石は、磁束密度５０ｍＴから１５０ｍＴとすること。【０００８】本発明に用いる天然鉱石は、ラジウム鉱石とすること。【０００９】上記ラジウム鉱石をパウダーにしてセラミック化し、ラジウムセラミックとして使用すること。【００１０】上記ラジウムセラミックと永久磁石を組み合わせたネックレス、またはラジウムセラミックと永久磁石と天然石を組み合わせたネックレスであること。
【発明の効果】
【００１１】本発明は、その含有されるラジウムの持つホルミシス効果により自律神経の安定化、血流促進が促され肩こり改善に効果が期待される。【００１２】永久磁石の持つ磁力がローレンツ力を生み、総頚動脈を流れる血中ヘモグロビンや鉄イオンの電荷に作用し、全身の血流促進が促され肩こり改善が期待される。
【発明を実施するための形態】
【００１３】この発明の好ましい実施形態として、永久磁石を直径４ｍｍから５ｍｍの球体とし、ラジウムセラミックを直径６ｍｍから８ｍｍの球体とすること。これは人体の総計動脈の直径が約７ｍｍであることから、直径４ｍｍから５ｍｍの永久磁石球が持つローレンツ力とラジウム鉱石の持つ放射性作用が、総頚動脈の上部表皮から均一的に作用し、以って血流促進により効果的であるためである。
【実施例】
【００１４】本件発明を数人の被験者に対して使用したところ、従来の磁気ネックレスに比して明らかに血流が促されているとの回答を得た。
(57)【要約】【課題】  杖に補助部を設けことで自立出来る一本立ち杖を提供する。【解決手段】  杖の下部に杖を支える補助部を設け、杖の上部に補助部を開く部分を付帯し、補助部を開くことを特長とする自立できる一本立ち杖である。【選択図】図１
2014069063.tif 000002
【特許請求の範囲】
【請求項１】
杖の下部に杖を支える補助部を設け、杖の上部に補助部を開く部分を付帯し、補助部を開くことを特長とする自立できる一本立ち杖。
【請求項２】
持ち手（１）の下部と上下作動軸（５）の間にスライド部（２）を設けた請求項１の一本立ち杖。
【発明の詳細な説明】
【技術分野】
【０００１】  本発明は、杖を使用の方が外出したときに、たとえば、両手を使用したくてもできないとき、手を放しても、杖が倒れないように工夫し、杖だけで、自立できるようにした一本立ち杖に関するものである。
【背景技術】
【０００２】  従来、杖の先端に四点の杖があるが設置面が広く足元に当たり歩きづく平面の場所でないと不安定になる。
【先行技術文献】
【特許文献】
【０００３】
【特許文献１】  特開２００８−１８８３２５号公報
【特許文献２】  特開２００５−２９６１７３号公報
【発明の概要】
【発明が解決しようとする課題】
【０００４】  そのために次のような問題点があった。
（イ）特に外出するときに杖を使用するとき、たとえば、買い物の支払いをするときやお    手洗いなど両手を使用するときに、杖を置く場所がないため、不自由であった。
（ロ）杖を使用している人は、体が不自由な人が多く、倒れた杖を簡単に拾えなくて苦労    していた。
本発明は、これらの問題を解決するためになされたものである。
【課題を解決するための手段】
【０００５】  杖の下部に杖を支える補助部を装着する。
杖の上部に補助部を開く部分を設ける。
上部と下部の間にスライド部分を設ける。
以上を特徴とする自立する一本立ち杖である。
【発明の効果】
【０００６】（イ）外出して、買い物をするとき、杖を自立させ、買い物の支払いをするときやお手洗    いなど両手が自由に使える。
（ロ）杖が自立できるので、杖は倒れることがない。
（ハ）使用する方は、杖から手を離しても手もとにあり両手が使用でき倒れた杖を拾うこ    ともなくなるので非常に便利である。
【図面の簡単な説明】
【０００７】
【図１】  本発明の側面図である。
【図２】  本発明の使用状態を示した説明図である。
【発明を実施するための形態】
【０００８】  以下、本発明の実施の形態について説明する。
（イ）持ち手（１）の下部に、上下作動軸（５）を設ける。
（ロ）下部に支持棒（３）を設け杖の先端部に先端ゴム（４）を装着する。
（ハ）持ち手（１）の下部と上下作動軸（５）の間にスライド部（２）を設ける。
本発明は以上のような構造である。
本発明を使用するときは、上下作動軸（５）を下にさげ支持棒（３）が地面に着き杖が自立する。
【符号の説明】
【０００９】    １  持ち手
２  スライド部
３  支持棒
４  先端ゴム
５  上下作動軸
【図１】
2014069063.tif 000003
【図２】
2014069063.tif 000004
(57)【要約】【課題】蛇の脱皮した抜け殻に強度を持たせ、色々な製品の元となる新素材を提供する。【解決手段】蛇の抜け殻とうるしを利用して、自然の素材がもつ今までにない質感の商品をつくり出せる素材である。【選択図】図１
2014069066.tif 000002
【特許請求の範囲】
【請求項１】
蛇の抜け殻を使って、今までにない新素材を世の中に提供する
その為に蛇の抜け殻と他の物質を融合させる必要があり、うるしを用いてその目的を果たす。
【発明の詳細な説明】
【技術の分野】
【０００１】本発明は、蛇の抜け殻を他の物質と人口的に融合させた今までにない全く新しい素材に関するものである。
【背景技術】
【０００２】従来の蛇の抜け殻は非常にもろく、ほとんど利用する事が出来なかった。
【発明の開示】
【発明が解決しようとする課題】
【０００３】そのために次のような問題点があった
（イ）製品や商品で蛇の抜け殻を利用した物がなかった。
（ロ）蛇を利用した商品は生きている蛇を殺して皮をはぎ加工している為、多くの命をうばってきている。
【課題を解決する為の手段】
【０００４】抜け殻単体では非常にもろく耐久性に欠ける
そこで、うるしを使い表面にぬることによって非常に強く、耐久性のある素材として、様々な物に利用可能な素材になる
【発明の効果】
【０００５】抜け殻を利用する事により蛇の命を失う事なく蛇商品を作り出せる。しかも天然素材なので、独特の質感があり、耐久性もあり加工もしやすいので、サイフやカバン等、多種多様な物に貼ったりできる。
【発明を実施する為の最良の形態】
【０００６】以下本発明の実施の形態について説明する。
（イ）蛇の抜け殻を切って開き広げる
（ロ）その表面にうるしを塗る
（ハ）それをかわかし、その抜け殻を素材として利用する
【図面の簡単な説明】
【０００７】
【図１】本発明の工程を示す斜視図
【図２】本発明の利用例を示す斜視図
【符号の説明】
【０００８】１、蛇の抜け殻
２、切り開いて平面にする
３、表面にうるしを塗る
４、かわいたら切りとって利用する
５、加工したカバン
６、加工したサイフ
【図１】
2014069066.tif 000003
【図２】
2014069066.tif 000004
(57)【要約】【課題】絵馬や開運グッズに蛇の抜け殻をはりつけ、今まで以上に、ユーザーの期待感や、希少価値商品を持つ幸びを提供する。【解決手段】蛇の抜け殻を切り開き、絵馬や開運グッズに、はりつけたり、組み込んだりして、商品化する。【選択図】図１
2014069067.tif 000002
【特許請求の範囲】
【請求項１】
絵馬や開運グッズで、蛇の抜け殻を使って、今まで世の中にない商品を世の中に提供する
【発明の詳細な説明】
【技術の分野】
【０００１】本発明は蛇の抜け殻を用いて、今までにない絵馬や開運グッズに関するものである
【背景技術】
【０００２】従来、蛇の抜け殻は、あまり利用方法が無くそのものに対して価値がなかった。
【発明の開示】
【０００３】そのために次のような問題があった
（イ）蛇の抜け殻自体、ありま利用がなかった。
（ロ）絵馬や開運グッズは、今まで書いた物が多いが抜け殻を利用したものはなかった。
【課題を解決する為の手段】
【０００４】抜け殻単体では、あまり利用例がなかったが、本来、抜け殻は、えんぎの良い物とされてきた。
そこで絵馬や開運グッズに、利用することで、今までにはない全く新しい商品を世の中に提供できる事になる。
【発明の効果】
【０００５】今までの絵馬等より、抜け殻が、ついている事で、開運に対しての、期待感、商品に対しての希少価値等が向上し、人々の幸せ感につながる。
【発明を実施する為の最良の形態】
【０００６】以下本発明の実施の形態について説明する。
（イ）蛇の抜け殻を切って開き広げる
（ロ）必要な大きさにカットする
（ハ）絵馬や、開運グッズにはり合わせる
【図面の簡単な説明】
【０００７】
【図１】本発明の工程を示す斜視図
【図２】本発明の利用例を示す斜視図
【符号の説明】
【０００８】１、蛇の抜け殻
２、切り開いて平面にする
３、必要に応じて切り取る
４、色んな形にカットしてはる。
５、絵馬にはりつけた例
６、お守りキーホルダーにはりつけた例
【図１】
2014069067.tif 000003
【図２】
2014069067.tif 000004
(57)【要約】      （修正有）【課題】歩行及び、走行時に靴内部の湿気、熱気など、外気を送ることにより拡散し、快適性を有した靴を提供する。【解決手段】靴底に伸縮材にて、空気層部を設け、踵上部の給気口と空気層をつなぐことにより、靴の踵上部に給気口（１）を設け、靴底の空気層（２）とつなぐ。靴底に伸縮材（３）で空気層（２）を設ける。給気口より靴底の空気層に入った外気は歩行及び、走行時に踵からつま先へ荷重の変化により吹出し口より外気を送り、靴内部の湿気、熱気を拡散する。【選択図】図１
2014069046.tif 000002
【特許請求の範囲】
【請求項１】
靴底に伸縮材にて、空気層を設け、歩行及び、走行時に踵上部の給気口から、外気を荷重の変化により靴内部に送る通気機能靴。
【発明の詳細な説明】
【技術分野】
【０００１】この発明は、通気機能を持った靴に関するものである。
【背景技術】
【０００２】従来、靴内部の通気性の良い靴はなかった。
【先行技術文献】
【特許文献】
【０００３】
【特許文献１】  特開  平１０−３３２０３
【特許文献２】  特開  平８−５６７０４
【特許文献３】  特開  平６−１４１９０６
【特許文献４】  特開  平５−１１７６８０１
【特許文献５】  特開  ２００１−２５８６０５
【特許文献６】  特開  ２０００−１６６６０６
【発明の概要】
【発明が解決しようとする課題】
【０００４】靴内部の湿気、熱気など、外気を送ることにより、快適性を有した靴を提案する。
【解決するための手段】
【０００５】靴底に伸縮材にて、空気層部を設ける。
踵上部の給気口と空気層をつなぐ。
【発明の効果】
【０００６】歩行、走行時に靴内部に外気を送り、湿気、熱気を拡散する。
【図面の簡単な説明】
【０００７】
【図１】  本発明の断面図である
【図２】  本発明の靴底平面図である
【図３】  動作説明図である。
【発明を実施するための形態】
【０００８】以下本発明を実施するための形態について説明する。
靴の踵上部に給気口（１）を設け、靴底の空気層（２）とつなぐ。
靴底に伸縮材（３）にて、空気層（２）を設ける。
靴底上部に指間及び、指根元付近に吹出し口（４）を設ける。
本発明は以上の構造である。
給気口より靴底の空気層に入った外気は歩行及び、走行時に踵からつま先へ荷重の変化により吹出し口より外気を送り、靴内部の湿気、熱気を拡散する。
【符号の説明】
【０００９】１    給気口
２    空気層
３    伸縮材
４    吹出し口
【図１】
2014069046.tif 000003
【図２】
2014069046.tif 000004
【図３】
2014069046.tif 000005
(57)【要約】【課題】車社会プラス高齢化社会において歩く事が減少し歩行困難な人が増加して要介護者が増加しているので健康保持は極めて重要な課題となっています。【解決の手段】上記の課題を解決する１助として、図１にみる貧乏ゆすり器を考案しました。貧乏ゆすりは健康保持において、足のむくみ解消、変形性股関節症の予防肺塞栓症の予防、冷え性、又ふらはぎの運動量が歩行より圧倒的に多い等のデーターがあり更に即効性があり、使用法が簡単で椅子に腰掛けてバネの反発力でふとももを大きく上下に動かします。また寝たきりの人にも足元の壁に立てかけて使用する事が出来ます。小型で極めて簡単に使用出来るので足を鍛える事によって要介護者の減少に貢献出来ものである。【選択図】図１
2014069048.tif 000002
【特許請求の範囲】
【請求項１】
図１にみる、２枚の底板（２）（３）と、足あてつきバネ線保持板（１）に足あて付きバネ線（４）（５）を挿入した貧乏ゆすり器。
【発明の詳細な説明】
【技術分野】
【０００１】本発明は、貧乏ゆすりは足のむくみ解消、変形性股関節症の予防、肺塞栓症予防、冷え症に有効、又ふくらはぎの運動量が歩くより圧倒的に多い等のデーターがあり健康に良いと言われていますが、１０回、２０回程度の短時間なら出来ますが、５分間とかの時間行うとなると抵抗を感じてスムーズに行う事が出来にくく、又特に寝たきりの人にも歩行訓練をして機能回復するためにも使用出来る器具に関するものである。
【背景技術】
【０００２】歩行に関する器具は考案されているが、脚力の弱い人、寝たきりの人の歩行訓練に関する物は皆無である。
【発明の概要】
【発明が解決しようとする課題】
【０００３】本発明は、車社会の為、歩く事が極めて減少して、歩行困難な、又寝たきりの高齢者が極めて多いが、このような人の脚力を回復する器具は皆無であるため、これらの人に使用出来る器具を提供しようと考案したものである。
【課題を解決するための手段】
【０００４】本発明は上記の目的を達成するために、図１にみる２枚の底板（２）（３）と足あて付きバネ線保持板（１）に足あて付きバネ線（４）（５）を挿入した器具を構成する。
【発明の効果】
【０００５】本発明は場所を取らず極めて簡単に使用出来る、椅子に腰をかけて、又は器具を壁に立てかけて寝た状態で左右の足を交互に踏み込むとバネの反発力で足を極めて軽く自在に動かす事が出来る為歩行動作を意思のままに行う事が出来る、
同時に貧乏ゆすりが歩行より圧倒的にふくらはぎの運動量が多いと言われる点やその他の健康に良いと言われている点も同時に行う事が出来る。
【図面の簡単な説明】
【０００６】
【図１】本発明の斜視図
【発明を実施するするための形態】
【０００７】以下、本発明の実施の形態を説明する
実施者が椅子に腰掛けて足元に本発明を置き足を図１にみる足あてつきバネ線（４）（５）の足あてにそれぞれ足を載せて左右交互に踏み込むとバネ線の反発力でふとももが上下に動く事によって貧乏ゆすりが行われて本発明の目的が達成されるのである。また寝たきりの人には足元の壁に本発明を立て掛けて使用する事が可能である。
【符号の説明】
【０００８】１  足あて付きバネ線保持板
２  低板
３  々
４  足あて付きバネ線
５  々
【図１】
2014069048.tif 000003